(57)【特許請求の範囲】
【請求項１】
熱交換器（４）に対向するように空気流れの下流側に位置し、前記熱交換器において熱交換が行われる熱交換部（４０）に空気を通風させる軸流型のファン（３）と、
前記ファンを支持するファンシュラウド（２）と、
を備え、
前記ファンシュラウドは、前記ファンの先端との間に隙間をあけて前記ファンの外周を取り囲むリング部（２１）と、前記ファンシュラウドの外周縁（２２）と前記リング部を連絡する部分であって前記ファンにより吸入される空気を前記リング部の内側に誘導する導風部（２３）とを有し、
前記リング部は、前記ファンシュラウドに対して片側に偏心する位置に設けられ、
前記ファンシュラウドは、前記ファンシュラウドの前記外周縁のうち、前記ファンシュラウドの中心を通る中心線よりも前記リング部が偏っている側の領域である偏心側領域において、前記リング部の内周縁（２１ａ）までの距離が他の部分に比べて短い短縁部（２２ａ）を有し、
前記短縁部の内側に位置する前記導風部の特定部位（２３ａ）は、前記熱交換部と空気流れ方向に重ならない部分を含み、
前記導風部における前記偏心側領域には、前記リング部よりも径外側で周方向について部分的に前記導風部の表面から突出する突出片（２４）が設けられることを特徴とする送風装置。
【請求項２】
前記突出片（２４０、２４１）は、前記リング部よりも径外側において離間して複数個設けられることを特徴とする請求項１に記載の送風装置。
【請求項３】
前記突出片は、前記導風部の表面に対して傾斜する傾斜部（２４０１）を有する先端形状を有することを特徴とする請求項１または請求項２に記載の送風装置。
【請求項４】
前記突出片は、前記導風部の表面に向かって凹む凹部（２４０２）を有する先端形状を有することを特徴とする請求項１または請求項２に記載の送風装置。
【請求項５】
熱交換器（４）に対向するように空気流れの下流側に位置し、前記熱交換器において熱交換が行われる熱交換部（４０）に空気を通風させる軸流型のファン（３）と、
前記ファンを支持するファンシュラウド（１０２）と、
を備え、
前記ファンシュラウドは、前記ファンの先端との間に隙間をあけて前記ファンの外周を取り囲むリング部（２１）と、前記ファンシュラウドの外周縁（２２）と前記リング部を連絡する部分であって前記ファンにより吸入される空気を前記リング部の内側に誘導する導風部（２３）とを有し、
前記リング部は、前記ファンシュラウドに対して片側に偏心する位置に設けられ、
前記ファンシュラウドは、前記ファンシュラウドの前記外周縁のうち、前記ファンシュラウドの中心を通る中心線よりも前記リング部が偏っている側の領域である偏心側領域において、前記リング部の内周縁（２１ａ）までの距離が他の部分に比べて短い短縁部（２２ａ）を有し、
前記短縁部の内側に位置する前記導風部の特定部位（２３ａ）は、前記熱交換部と空気流れ方向に重ならない部分を含み、
前記導風部における前記偏心側領域には、前記リング部よりも径外側で前記導風部を貫通するスリット状の貫通穴（１２４）が設けられることを特徴とする送風装置。
【請求項６】
前記貫通穴（１２４０、１２４１）は、前記リング部よりも径外側において、離間して複数個設けられることを特徴とする請求項５に記載の送風装置。
【発明の詳細な説明】
【技術分野】
【０００１】
本発明は、軸流ファンの外側を囲むように配されるファンシュラウドを備える送風装置に関する。
【背景技術】
【０００２】
特許文献１には、自動車のラジエータを冷却するための軸流ファンを支持するファンシュラウドが記載されている。このファンシュラウドは、軸流ファンの外径側を取り囲むリング部の中心がファンシュラウドの中心に対して偏心して配置されている。
【先行技術文献】
【特許文献】
【０００３】
【特許文献１】特開２００６−４６１１３号公報
【発明の概要】
【発明が解決しようとする課題】
【０００４】
近年、車両における静音性に係る要求の高さにより、ファンの回転騒音に関するピーク音、例えば１次成分のピーク音を低減することが求められている。なお、回転騒音は、回転体とその周辺の空気との干渉現象により著しく増大し、単一周波数成分で特に高い音圧となることが知られている。
【０００５】
特許文献１のように、ファンシュラウドの導風部に広い側と狭い側ができる場合には、広い側の導風部に沿って流れる空気がリング部の内側に流れる際にファンの回転軸方向に流れる空気に干渉する。この干渉のために、ファンの回転騒音が顕著に発生すると考えられている。ファンの回転騒音を低減するために、特許文献１の場合、広い側の導風部に沿ってリング部の内側に流入しようとする空気の流れを、広い側の導風部に設けた整流板によって抑制して、ピーク音に起因する干渉現象を低減している。
【０００６】
このように、ファンシュラウドの導風部に沿って流れる空気はファンシュラウドの形状やファンシュラウドとファンとの位置関係によって特有の流れを形成する。ファンシュラウドを有する送風装置においては、装置特有の空気流れに起因するファンの回転騒音を低減することが重要な課題となっている。
【０００７】
そこで本発明は、前述の課題に鑑みてなされたものであり、回転騒音に関わるピーク騒音レベルを低減可能なファンシュラウドを有する送風装置を提供することを目的とする。
【課題を解決するための手段】
【０００８】
上記目的を達成するために以下の技術的手段を採用する。また、特許請求の範囲及びこの項に記載した括弧内の符号は、ひとつの態様として後述する実施形態に記載の具体的手段との対応関係を示す一例であって、本発明の技術的範囲を限定するものではない。
【０００９】
開示する送風装置に係る発明のひとつは、熱交換器（４）に対向するように空気流れの下流側に位置し、熱交換器において熱交換が行われる熱交換部（４０）に空気を通風させる軸流型のファン（３）と、ファンを支持するファンシュラウド（２）と、を備え、
ファンシュラウドは、ファンの先端との間に隙間をあけてファンの外周を取り囲むリング部（２１）と、ファンシュラウドの外周縁（２２）とリング部を連絡する部分であってファンにより吸入される空気をリング部の内側に誘導する導風部（２３）とを有し、
リング部は、ファンシュラウドに対して片側に偏心する位置に設けられ、
ファンシュラウドは、ファンシュラウドの外周縁のうち、ファンシュラウドの中心を通る中心線よりもリング部が偏っている側の領域である偏心側領域において、リング部の内周縁（２１ａ）までの距離が他の部分に比べて短い短縁部（２２ａ）を有し、
短縁部の内側に位置する導風部の特定部位（２３ａ）は、熱交換部と空気流れ方向に重ならない部分を含み、
導風部における偏心側領域には、リング部よりも径外側で周方向について部分的に導風部の表面から突出する突出片（２４）が設けられることを特徴とする。
【００１０】
この発明に係る送風装置においては、発明者らの鋭意研究により以下のことがわかっている。短縁部の内側に位置する導風部の特定部位は、熱交換部と空気流れ方向に重ならない部分を含むため、当該特定部位には、熱交換部を通過しない空気が直接吸い込まれる。この特定部位を経由した空気は、導風部の表面を沿うように流れるため、ファンの回転軸方向に対して交差するようにリング部の内側に流入する。さらに、特定部位よりもファンの中心寄りに近い部位には、熱交換部を通過した空気がファンの回転軸方向に流れるようにリング部の内側に流入する。これらの２つの流れは、互いに交差する方向に流れるため、互いに干渉し合うことになってしまう。この干渉現象は、不規則な渦の発生を促し、この送風装置に特有の空気流れに起因するファンの回転騒音の発生を引き起こすことになる。
【００１１】
この発明によれば、導風部における偏心側領域には、リング部よりも径外側で周方向について部分的に導風部の表面から突出する突出片が設けられるため、導風部に沿って引き込まれる空気流は突出片によって導風部の表面から離れるように流れが変化する。このように導風部の表面から離れるように変化する流れは、リング部の内側に流入する際の空気流がファンの回転軸方向に近い流れとなることに寄与する。この回転軸方向に近い流れは、熱交換部を通過しないで特定部位から吸い込まれる空気と熱交換部を通過してきた空気とが交差する度合いを低減するので、干渉現象が抑制され、不規則な渦の発生を抑制することができる。この作用によれば、ピーク音を低減できるので、ファンの回転騒音を低減することができる。したがって、回転騒音に関わるピーク騒音レベルを低減可能なファンシュラウドを有する送風装置を提供することができる。
【００１２】
また、開示する送風装置に係る発明のひとつは、熱交換器（４）に対向するように空気流れの下流側に位置し、熱交換器において熱交換が行われる熱交換部（４０）に空気を通風させる軸流型のファン（３）と、ファンを支持するファンシュラウド（２）と、を備え、
ファンシュラウドは、ファンの先端との間に隙間をあけてファンの外周を取り囲むリング部（２１）と、ファンシュラウドの外周縁（２２）とリング部を連絡する部分であってファンにより吸入される空気をリング部の内側に誘導する導風部（２３）とを有し、
リング部は、ファンシュラウドに対して片側に偏心する位置に設けられ、
ファンシュラウドは、ファンシュラウドの外周縁のうち、ファンシュラウドの中心を通る中心線よりもリング部が偏っている側の領域である偏心側領域において、リング部の内周縁（２１ａ）までの距離が他の部分に比べて短い短縁部（２２ａ）を有し、
短縁部の内側に位置する導風部の特定部位（２３ａ）は、熱交換部と空気流れ方向に重ならない部分を含み、
導風部における偏心側領域には、リング部よりも径外側で導風部を貫通するスリット状の貫通穴（１２４）が設けられることを特徴とする。
【００１３】
この発明によれば、導風部における偏心側領域には、リング部よりも径外側で導風部を貫通する貫通穴が設けられるため、導風部の裏側から空気を導風部の表面側に引き込むことができる。この導風部の裏側から引き込まれた空気流は、導風部の表面から離れてからリング部の内側に流入するため、空気流がファンの回転軸方向に近い流れとなることに寄与する。この回転軸方向に近い流れによって、熱交換部を通過しないで特定部位から吸い込まれる空気と熱交換部を通過してきた空気との交差度合いが低減されるので、干渉現象が抑制され、不規則な渦の発生を抑制することができる。この作用によってピーク音を低減できるので、ファンの回転騒音を低減することができる。以上により、回転騒音に関わるピーク騒音レベルを低減可能なファンシュラウドを有する送風装置を提供することができる。
【図面の簡単な説明】
【００１４】
【図１】本発明の第１実施形態に係る送風装置を説明するための正面図である。
【図２】図１のII−II断面を矢印方向に見たときの、ファンシュラウドの部分断面図である。
【図３】第１実施形態の送風装置を説明するための斜視図である。
【図４】第１実施形態のファンシュラウドにおけるリブに関する部分断面図である。
【図５】第１実施形態の送風装置と比較例の送風装置について、騒音レベルを比較した実験結果である。
【図６】第１実施形態のファンシュラウドにおけるリブを示した側面図である。
【図７】ファンシュラウドにおけるリブについて他の形態を示した側面図である。
【図８】本発明の第２実施形態に係る送風装置を説明するための正面図である。
【図９】第２実施形態のファンシュラウドにおける貫通穴に関する部分断面図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示してなくとも実施形態同士を部分的に組み合わせることも可能である。
【００１６】
（第１実施形態）
本発明の一実施形態である第１実施形態の送風装置１について図１〜図７にしたがって説明する。第１実施形態では、送風装置の一例として、車両にエンジン等を冷却するために搭載されるラジエータに対して送風を提供する装置について説明する。
【００１７】
図１に示すように、送風装置１は、１個の軸流型のファン３と、ファン３を回転駆動するモータを支持し、ファン３が吸入する空気を導くファンシュラウド２と、を備える。ファン３は、回転の中心となるボス部と、ボス部から放射状に延びる複数個のブレード３０と、を備える。複数個のブレード３０は、その一端はボス部と一体であり、他端は円形のリング部３１と一体になるように構成されている。ファン３は、回転動力を与えるモータを備えている。モータは、回転軸であるモータシャフトを有する。モータシャフトと、ボス部とは固定部材により連結されている。モータは、電動式であり、例えばフェライト式の直流モータで構成する。モータには、アーマチャへ電力を供給するためのハーネス部が接続され、このハーネス部はコネクタ等を介して車両のバッテリに接続されている。
【００１８】
ファン３は、熱交換器の一例であるラジエータ４よりも吸入空気の下流側に配置されている。これにより、ファン３は、モータが回転駆動されることにより、車両前面のグリル側からエンジン側に向けて外気を吸引する。
【００１９】
ファンシュラウド２は、エンジン冷却水の熱を放熱させるためのラジエータ４に冷却風を提供するファン３を覆うように支持する部材である。ファンシュラウド２は、ファン３のモータを支持固定するとともに、ラジエータ４に一体に取り付けられる。例えば、ファンシュラウド２は、その鉛直方向下部及び鉛直方向上部にねじ等が挿通可能な貫通孔を備えた下側取付部及び上側取付部を有する。ファンシュラウド２は、この下側取付部及び上側取付部のそれぞれを、ラジエータ４に設けられた各雌ねじ部にねじで螺合することにより、ラジエータ４に一体に取り付けられる。
【００２０】
ファンシュラウド２は、矩形状であり、ラジエータ４において熱交換が行われる熱交換部に対して冷却風を通過させるファン３を１個配置できる構成を有している。ラジエータ４の熱交換部は、例えば、それぞれの内部を冷却水が流通する複数本のチューブと、チューブ間にチューブと一体に設けられるアウターフィンと、を備えて構成される。エンジンからの冷却水は、ウォータポンプが駆動されることによってラジエータ回路を通ってラジエータ４の入口側タンクに流入した後、熱交換部４０のチューブ内を流れる。そして、冷却水は、ファン３により提供される車室外空気との間で熱交換されて冷却された後、出口側タンクから流出してエンジンに戻る。
【００２１】
ファンシュラウド２は、ファン３の先端との間に間隔を開けてファン３の外周を取り囲むリング部２１と、ファン３により吸入される空気を誘導する導風部２３と、を備えている。導風部２３は、ファンシュラウド２の外周縁２２とリング部２１を連絡する部分であってファン３により吸入される空気をリング部２１の内側に誘導する機能がある。また、ファンシュラウド２は、ファン３のモータが取り付けられるモータ取付部２５と、モータ取付部２５から放射状に複数本延設されるモータステー２５ａと、を備える。リング部２１は、ファン３の７枚のブレード３０の外周（ファンの外周）を囲む円形状の筒部であり、モータステー２５ａの放射方向端部と一体に形成され、モータステー２５ａを介してモータ取付部を支持する。
【００２２】
ファンシュラウド２は、その外周縁２２とリング部２１との間を接続する部分であって滑らかに傾斜、または湾曲する形状をなる導風部２３を備えている。導風部２３は、ラジエータ４の熱交換部の全面に外気を効率的に吸い込む機能を果たす。ファンシュラウド２の外周縁２２におけるラジエータ側に位置する端部からリング部２１の内周縁２１ａに至る導風部２３によって形成される部分は、風洞部を構成し、外気の効率的な吸込み気流の形成に寄与する。ファンシュラウド２は、例えば樹脂成形部材であり、所定の金型を用いた射出成形等によって成形される。この樹脂成形部材は、例えばガラス繊維やタルク材によって強度が高められたポリプロピレン樹脂等によってできている。
【００２３】
ファンシュラウド２のリング部２１は、ファンシュラウド２に対して片側に偏心する位置に設けられる。図１に示すように、ファンシュラウド２の中心を通る中心線２ｃは、リング部２１の中心を通る中心線３ｃと一致せず、両者はずれた位置にある。これは、リング部２１がファンシュラウド２に対して、中心線３ｃが存在する側、またはファン３の中心が存在する側に偏って設けられているからである。すなわち、リング部２１は、ファンシュラウド２に対して偏心して設けられている。なお、中心線３ｃは、ファン３の中心を通る中心線でもある。
【００２４】
ファンシュラウド２には、ファンシュラウド２の中心を通る中心線２ｃよりもリング部２１が偏っている側の領域である偏心側領域が設定されている。偏心側領域は、図１に図示するように、中心線２ｃよりも、中心線３ｃが存在する側、またはファン３の中心が存在する側の一帯である。ファンシュラウド２におけるリング部２１のこのような位置関係によれば、ファンシュラウド２の外周縁２２とリング部２１の内周縁２１ａとの距離は、中心線２ｃの両側を比較すると、中心線３ｃが存在する偏心側領域の方が短くなっている。
【００２５】
したがって、ファンシュラウド２は、外周縁２２のうち、偏心側領域においてリング部２１の内周縁２１ａまでの距離が他の部分に比べて短い短縁部２２ａを有する。このため、短縁部２２ａの内側には、導風部２３に相当する部分の表面積が他の部分と比べて著しく小さい特定部位２３ａが設けられている。
【００２６】
導風部２３の特定部位２３ａは、熱交換部４０と空気流れ方向に重ならない部分を含んでいる。すなわち、短縁部２２ａの内側の特定部位２３ａには、正面視して、熱交換部４０とオーバーラップしない部分が含まれる。具体的には、ラジエータ４の熱交換部４０は、ファンシュラウド２の中心線２ｃに対して線対称となるように設置されていない。熱交換部４０は、中心線２ｃに対して偏心側領域とは反対側の領域に偏る位置に設置されている。このため、熱交換部４０の端部は短縁部２２ａよりも内側に位置し、短縁部２２ａと熱交換部４０の端部との間には、空気が流通可能な隙間が形成されている（図１及び図２参照）。
【００２７】
発明者らの鋭意研究によって判明している現象について、図２を参照しながら以下に説明する。ファン３が運転されると、外気はこの隙間と熱交換部４０のそれぞれに引き込まれる。熱交換部４０に引き込まれる空気Ａ１は、チューブやアウターフィンの周囲を流れて、熱交換部４０を回転軸方向に通過する。一方、短縁部２２ａと熱交換部４０の端部の隙間に吸い込まれる空気Ａ２は、短縁部２２ａの表面に沿って回転軸方向に流れて特定部位２３ａに達し、さらに特定部位２３ａに沿って流れてファン３の中心側に向かうベクトルとなるように流れが変化する。
【００２８】
このように熱交換部４０を通過しないで特定部位２３ａを経由してきた空気Ａ２は、ファン３の回転軸方向に対して交差するようにリング部２１の内側に流入する。このファン３の回転軸方向に対して交差する空気Ａ２は、熱交換部４０を通過してファン３の回転軸方向に流れる空気Ａ１と互いに交差するため、互いに干渉し合う。換言すれば、空気Ａ１と空気Ａ２は、ファン３に吸い込まれる際に衝突する流れを形成する。このような干渉を伴う現象は、この送風装置に特有の空気流れに起因するファンの回転騒音の発生を引き起こしてしまう。
【００２９】
そこで、導風部２３における偏心側領域には、導風部２３の表面から突出する突出片であるリブ２４が設けられる。リブ２４は、偏心側領域であって、導風部２３の特定部位２３ａを除く部位に、すなわち、導風部２３が形成されている面績が特定部位２３ａよりも大きい部位に設けられている。
【００３０】
リブ２４はリング部２１に沿うように設けられる。リブ２４は、偏心側領域においてリング部２１の周囲全体に設けられるものでなく、点在するように、または断続的に設けられている。例えば、図１及び図３に図示するように、リブ２４は、リング部２１よりも径外側で周方向について間隔をあけて設けられる第１のリブ２４０と第２のリブ２４１とを有して構成される。第１のリブ２４０は、特定部位２３ａに対して、一方の側の導風部２３に設けられ、第２のリブ２４１は、他方の側の導風部２３に設けられる。
【００３１】
第１のリブ２４０、第２のリブ２４１は、同様の形状であり、それぞれ周方向に所定の長さを有し突出方向に所定の高さを有して形成されている。以上のように、リブ２４は、リング部２１よりも半径方向の外側で導風部２３の表面から突出する突出片を構成する。リブ２４は、周方向について、環状または全周に渡って設けられるものではなく、部分的に、１個設けられ、または点在して複数個設けられる。
【００３２】
図４に図示するように、この送風装置１によれば、特定部位２３ａの周辺で、導風部２３に沿って流れる空気Ａ３は、リブ２４によって、導風部２３の表面から離れるように流れが変化する。そして、導風部２３の表面から離れた位置からリング部２１の内周縁２１ａに沿うような向きでリング部２１の内側に流入するため、ファンの回転軸方向に近い空気流れとなる。リブ２４によって変化した空気流れは、熱交換部４０を通過しないで特定部位２３ａを経由してきたファン３の中心側に向かう空気Ａ２に影響を及ぼし、空気Ａ２のファン３の中心側に向かう流れを弱める作用をする。したがって、ファン３の中心側に向かう空気Ａ２と熱交換部４０を通過してきた空気Ａ１とが交差する度合いが低減することになる。このようにファンシュラウド２は、リブ２４によって、ファンシュラウド２の外周縁２２よりも内側における空気の流れを整流して、不規則な流れを低減する働きを持つ。
【００３３】
図５は、発明者らが、第１実施形態の送風装置１、比較例１の送風装置、比較例２の送風装置についてそれぞれ騒音レベルを測定し、これらを比較した実験結果を示している。比較例１の送風装置は、リブ２４のような整流機能を持つ突出片を有していないファンシュラウドを備える従来の装置である。比較例２の送風装置は、リブ２４のような整流機能を持つ突出片を偏心側領域とは反対側の領域に有するファンシュラウドを備える従来の装置である。
【００３４】
その他の実験条件は、各送風装置について、ラジエータを一体に取り付けた状態で、モータに同一の電圧を印加し、ファンシュラウドの外周縁の位置から１ｍ空気流れ下流へ離れ、ファンの中心と同じ高さに設置したマイクで騒音を測定した。図５に示す音圧レベルは、Ａ特性周波数重み付けを用いて測定したものである。
【００３５】
図５において、実線で示す結果が第１実施形態の送風装置１の騒音特性である。また、破線で示す結果が比較例１の装置の騒音特性であり、一点鎖線で示す結果が比較例２の装置の騒音特性である。図からわかるように、周波数１５０Ｈｚ付近において、ともにピーク値が測定され、送風装置１が４１.３ｄＢＡ、比較例１が５２.０ｄＢＡ、比較例２が５０.４ｄＢＡの測定結果が得られた。このように、送風装置１は、比較例１よりも音圧レベルが１０．７ｄＢＡ低下するという秀でた効果が得られ、比較例２よりも音圧レベルが１．６ｄＢＡ低下するという効果が得られた。
【００３６】
さらに、周波数４５０Ｈｚ付近、６５０Ｈｚ付近において、送風装置１のピーク音が、比較例１や比較例２のピーク音よりも大きく低減するという測定結果が得られた。このように送風装置１によれば、人の聴覚に対して、不快な騒音であると感じられやすい低周波域でのピーク音のレベルを大きく低減することができるので、人に不快感を与えうる回転騒音を低下することができる。
【００３７】
次に、図６、図７を参照して、第１のリブ２４０や第２のリブ２４１の外形形状について説明する。図６に示すように、第１のリブ２４０や第２のリブ２４１は、導風部２３の表面に対して傾斜する傾斜部２４０１を有する先端形状を有する。傾斜部２４０１は、各リブの周方向端部において形成される形状である。また、第１のリブ２４０や第２のリブ２４１は、導風部２３の表面に向かって凹む凹部２４０２を有する先端形状を有する。凹部２４０２は、両端に位置する傾斜部２４０１の間に設けられている。図７に示すように、第１のリブ２４０や第２のリブ２４１は、導風部２３の表面に対して湾曲する湾曲部２４０３を有する先端形状を有する。湾曲部２４０３は、中央の凹部２４０２の両端に位置するように設けられている。
【００３８】
次に、第１実施形態の送風装置１がもたらす作用効果について述べる。送風装置１は、熱交換器に対向するように空気流れの下流側に位置し、熱交換器において熱交換が行われる熱交換部に空気を通風させる軸流型のファン３と、ファン３を支持するファンシュラウド２と、を備える。ファンシュラウド２は、ファン３の先端との間に隙間をあけてファン３の外周を取り囲むリング部２１と、外周縁２２とリング部２１を連絡する部分であってファン３により吸入される空気をリング部２１の内側に誘導する導風部２３とを有する。リング部２１は、ファンシュラウド２に対して片側に偏心する位置に設けられる。ファンシュラウド２は、外周縁２２のうち、ファンシュラウド２の中心線２ｃよりもリング部２１が偏っている側の領域である偏心側領域において、リング部２１の内周縁２１ａまでの距離が他の部分に比べて短い短縁部２２ａを有する。短縁部２２ａの内側に位置する導風部２３の特定部位２３ａは、熱交換部と空気流れ方向に重ならない部分を含む。導風部２３における偏心側領域には、リング部２１よりも径外側で周方向について部分的に導風部２３の表面から突出する突出片が設けられる。
【００３９】
この構成によれば、導風部２３における偏心側領域には、リング部２１よりも径外側で周方向について部分的に導風部２３の表面から突出する突出片が設けられる。このため、導風部２３に沿って引き込まれる空気流は突出片によって導風部２３の表面から離れるように流れが変化する。このように導風部２３の表面から離れるように変化する流れは、リング部２１の内側に流入する際の空気流がファン３の回転軸方向に近い流れとなることに寄与する。この回転軸方向に近い流れは、熱交換部４０を通過しないで特定部位２３ａから吸い込まれる空気と熱交換部４０を通過してきた空気とが交差する度合いを低減する。したがって、干渉現象が抑制され、不規則な渦の発生を抑制することができる。この作用によれば、低周波数域のピーク音を低減できるので、ファン３の回転騒音を低減することができる。
【００４０】
また、突出片の一例であるリブ２４が導風部２３の表面から部分的に突出するため、突出片が環状に全体として設けられている場合に比べて、導風部２３に沿ってリング部２１の内側に引き込まれる空気の風量を多くすることに寄与する。すなわち、送風装置１によれば、風量低下を抑制できるとともに、空気の干渉度合いを低減して不規則な渦の発生を抑制することができる。
【００４１】
また、突出片の一例であるリブ２４は、リング部２１よりも径外側において離間して複数個設けられている。この構成によれば、リブとリブの間では導風部２３に沿う流れが活発になるため導風部２３に沿って流れる風量の低下を抑制できるとともに、空気の干渉度合いを低減して不規則な渦の発生を抑制することができる。
【００４２】
また、突出片の一例であるリブ２４は、導風部２３の表面に対して傾斜する傾斜部２４０１を有する先端形状を有する。この構成によれば、リブ２４の両端の角部が直角よりも大きな角度に形成されるため、ファン３に吸い込まれる空気がリブ２４によって流れ方向が変化するときに、エッジ部によって生じうる渦の発生を抑制することができる。したがって、不規則な渦の発生の抑制することに貢献できる。
【００４３】
また、突出片の一例であるリブ２４は、導風部２３の表面に向かって凹む凹部２４０２を有する先端形状を有する。この構成によれば、ファン３に吸い込まれる空気は、リブ２４によって流れ方向が変化するときに、導風部２３の表面からの先端位置が低くなっている凹部２４０２を通過することができる。これにより、導風部２３に沿って流れる空気流がリング部２１側に流れやすくなるため、通風抵抗を低減しつつ、不規則な渦の発生を抑制することができる。
【００４４】
（第２実施形態）
第２実施形態では、第１実施形態の他の形態である送風装置１０１に図８及び図９を参照して説明する。第２実施形態において、第１実施形態に係る図面と同一符号を付した構成部品及び説明しない構成は、第１実施形態と同様であり、同様の作用効果を奏するものである。第２実施形態では、第１実施形態と異なる部分のみ説明する。
【００４５】
図８及び図９に示すように、送風装置１０１は、第１実施形態の送風装置１に対して、ファンシュラウド１０２が相違する。ファンシュラウド１０２は、ファンシュラウド２の突出片の代わりに、貫通穴１２４を備えることが相違する。
【００４６】
導風部２３における偏心側領域には、導風部２３を貫通するスリット状の貫通穴１２４が設けられる。貫通穴１２４は、偏心側領域であって、導風部２３の特定部位２３ａを除く部位に、すなわち、導風部２３が形成されている面績が特定部位２３ａよりも大きい部位に少なくとも一つ以上設けられている。
【００４７】
貫通穴１２４はリング部２１に沿うように設けられる細長い開口部である。貫通穴１２４は、偏心側領域においてリング部２１の周囲全体に設けられるものでなく、点在するように、または断続的に設けられている。例えば、図８及び図９に図示するように、貫通穴１２４は、リング部２１よりも径外側で周方向について間隔をあけて設けられる第１の貫通穴１２４０と第２の貫通穴１２４１とを有して構成される。第１の貫通穴１２４０は、特定部位２３ａに対して、一方の側の導風部２３に設けられ、第２の貫通穴１２４１は、他方の側の導風部２３に設けられる。
【００４８】
第１の貫通穴１２４０、第２の貫通穴１２４１は、同様のスリット形状であり、それぞれ周方向に所定の長さを有して形成されている。以上のように、貫通穴１２４は、リング部２１よりも半径方向の外側で導風部２３に部分的に設けられるスリット状開口である。貫通穴１２４は、周方向について、環状または全周に渡って設けられるものではなく、部分的に、１個設けられ、または点在して複数個設けられる。
【００４９】
図９に図示するように、この送風装置１０１によれば、特定部位２３ａの周辺で、導風部２３に沿って流れる空気Ａ３は、貫通穴１２４を通して導風部２３の裏側から表側に吸入される空気によって、導風部２３の表面から離れるように流れが変化する。そして第１実施形態と同様に、導風部２３の表面から離れた位置からリング部２１の内周縁２１ａに沿うような向きでリング部２１の内側に流入するため、ファン３の回転軸方向に近い空気流れとなる。貫通穴１２４から流入空気によって変化した空気流れは、熱交換部４０を通過しないで特定部位２３ａを経由してきたファン３の中心側に向かう空気Ａ２に影響を及ぼし、空気Ａ２のファン３の中心側に向かう流れを弱める作用をする。これにより、ファン３の中心側に向かう空気Ａ２と熱交換部４０を通過してきた空気Ａ１とが交差する度合いが低減することになる。このようにファンシュラウド１０２は、貫通穴１２４を通じた吸入空気によって、ファンシュラウド１０２の外周縁２２よりも内側における空気の流れを整流して、不規則な流れを低減する働きを持つ。
【００５０】
次に、第２実施形態の送風装置１０１がもたらす作用効果について述べる。送風装置１０１は、熱交換器に対向するように空気流れの下流側に位置し、熱交換器において熱交換が行われる熱交換部に空気を通風させる軸流型のファン３と、ファン３を支持するファンシュラウド１０２と、を備える。ファンシュラウド１０２は、ファン３の先端との間に隙間をあけてファン３の外周を取り囲むリング部２１と、外周縁２２とリング部２１を連絡する部分であってファン３により吸入される空気をリング部２１の内側に誘導する導風部２３とを有する。リング部２１は、ファンシュラウド１０２に対して片側に偏心する位置に設けられる。ファンシュラウド１０２は、外周縁２２のうち、ファンシュラウド１０２の中心線２ｃよりもリング部２１が偏っている側の領域である偏心側領域において、リング部２１の内周縁２１ａまでの距離が他の部分に比べて短い短縁部２２ａを有する。導風部２３における偏心側領域には、リング部２１よりも径外側で導風部２３を貫通するスリット状の貫通穴１２４が設けられる。
【００５１】
この構成によれば、導風部２３における偏心側領域には、リング部２１よりも径外側で導風部２３を貫通する貫通穴１２４が設けられるため、導風部２３の裏側から空気を導風部２３の表面側に引き込むことができる。貫通穴１２４を通して導風部２３の裏側から引き込まれた空気流は、導風部２３の表面から離れてからリング部２１の内側に流入するため、リング部２１の内側に引き込まれる空気流がファン３の回転軸方向に近い流れとなることに寄与する。この回転軸方向に近い流れによって、熱交換部４０を通過しないで特定部位２３ａから吸い込まれる空気と熱交換部４０を通過してきた空気とが交差する度合いを低減することができる。この作用によってピーク音を低減できるので、ファン３の回転騒音を低減することができる。以上により、回転騒音に関わるピーク騒音レベルを低減可能なファンシュラウド１０２を有する送風装置１０１を提供できる。
【００５２】
また、貫通穴１２４は、リング部２１よりも径外側において離間して複数個設けられている。この構成によれば、貫通穴と貫通穴の間では導風部２３に沿う流れが活発になるため導風部２３に沿って流れる風量の低下を抑制できるとともに、空気の干渉度合いを低減して不規則な渦の発生を抑制することができる。
【００５３】
（他の実施形態）
以上、開示された発明の好ましい実施形態について説明したが、開示された発明は上述した実施形態に何ら制限されることなく、種々変形して実施することが可能である。上記実施形態の構造は、あくまで例示であって、開示された発明の技術的範囲はこれらの記載の範囲に限定されるものではない。開示された発明の技術的範囲は、特許請求の範囲の記載によって示され、さらに特許請求の範囲の記載と均等の意味及び範囲内での全ての変更を含むものである。
【００５４】
前述の実施形態の送風装置１、１０１は、車両のエンジン冷却水を冷却するためのラジエータに対して冷却風を提供する装置であるが、本発明はこの実施形態に限定して適用されるものではない。例えば、空調装置、給湯装置等の室外機に搭載されて冷却風を提供する装置、コンピュータ、電子部品等を冷却する冷却風を提供する装置等に適用することが可能である。
【００５５】
前述の実施形態の送風装置１、１０１は、ラジエータ４よりも空気流れの下流に配置されているが、この形態に限定するものではない。例えば、送風装置１、１０１が吹き出した空気を熱交換器等に供給するように配置されるものであってもよい。
【００５６】
前述の実施形態の送風装置１や送風装置１０１におけるリブ２４や貫通穴１２４は、実施形態で説明した個数や設置位置に限定されるものではない。
【符号の説明】
【００５７】
１、１０１…送風装置
２、１０２…ファンシュラウド
３…ファン
４…ラジエータ（熱交換器）
２１…リング部
２２…外周縁、  ２２ａ…短縁部
２３…導風部、  ２３ａ…導風部の特定部位
２４…リブ（突出片）
４０…熱交換部
【図１】
0006390348.tif 000002
【図２】
0006390348.tif 000003
【図３】
0006390348.tif 000004
【図４】
0006390348.tif 000005
【図５】
0006390348.tif 000006
【図６】
0006390348.tif 000007
【図７】
0006390348.tif 000008
【図８】
0006390348.tif 000009
【図９】
0006390348.tif 000010